(57)【要約】炭酸飲料を収容するための缶の使用に適した開口組立体（１０）に関する。該組立体（１０）は、楕円開口（１６）を有する主要部（１４）を備える。フランジ（１８）が開口（１６）の裏面に設けられ、これは、どの箇所においても開口（１６）の径に反比例する高さを有する。閉鎖部材（２０）が設けられ、これは、上部（２４）と、開口（１６）を通じて滑りばめされた円筒体部（３０）と、その下側の係合部材（３４）とを備える。閉状態において、係合部材（３４）は、フランジ（１８）の最も高い部分に対し係合し、該組立体（１０）を密封閉鎖する。閉鎖部材（２０）は、閉鎖部材（２０）がフランジ（１８）と係合できなくなるまで回転され得、その際、部材（２０）は、開口（１６）から取り去られ、組立体（１０）を開放する。部材（２０）は、開口（１６）に戻し、回転されて組立体（１０）を再閉鎖することができる。
2005500946.tif 000002
【特許請求の範囲】
【請求項１】
充填後に封止される飲料容器のための開口組立体であって、
該組立体は、該容器を閉じ、かつ口が設けられる主要部と、閉鎖部材とを備え、
該組立体は、充填後の初期状態において、閉鎖部材が口に密閉配置されて該口を閉鎖し、これによって該容器を閉じ、該閉鎖部材が、該容器を開放すべく該口から取り去られることができるように構成され、
閉鎖部材は、第１の向きにおいて口に再配置され得、第２の向きへと閉鎖部材を回転し次第、閉鎖部材が、開口を従って該容器を実質上密閉して再閉鎖することを特徴とする開口組立体。
【請求項２】
前記口は、第１方向において大きめの径を、第１方向に実質上垂直な第２方向において小さめの径を有することを特徴とする請求項１の開口組立体。
【請求項３】
前記口は、実質上オーバル形状であることを特徴とする請求項２の開口組立体。
【請求項４】
前記閉鎖部材は、縦方向の最大径を有する係合部を備えることを特徴とする請求項３の開口組立体。
【請求項５】
前記閉鎖部材は、係合部の縦方向が口の第１方向と少なくともおおむね平行になる際においてのみ、該口へ導入され又は該口から取り去られ得るように構成されることを特徴とする請求項４の開口組立体。
【請求項６】
前記組立体は、閉鎖部材が口に第１の向きで配置され、次いで第２の向きへと回転されると、係合部が、第２方向周りの口付近の主要部の下側を係合するように構成されることを特徴とする請求項５の開口組立体。
【請求項７】
前記主要部の下側における口の周囲にフランジが設けられ、係合部は該フランジに対し係合可能であることを特徴とする請求項６の開口組立体。
【請求項８】
前記フランジは、第２方向付近の口の部分において最も高くなることを特徴とする請求項７の開口組立体。
【請求項９】
前記フランジの高さは、どの箇所においても口の径と実質上反比例することを特徴とする請求項８の開口組立体。
【請求項１０】
前記閉鎖部材は、通常の使用において常に容器の外側に配置される上部と、上部から延長し、その自由端にて又は自由端付近に係合部を与える本体部とを備えることを特徴とする請求項４〜９のいずれかの開口組立体。
【請求項１１】
前記本体部は、口の実質上中央にスライド自在に配置されることを特徴とする請求項１０の開口組立体。
【請求項１２】
前記係合部は、係合部は、上部から離隔し、本体部における直径に沿って反対側の突出部を備えることを特徴とする請求項１０又は１１の開口組立体。
【請求項１３】
前記上部は、閉鎖部材が口を閉じた際、該口を完全に覆うように該口よりも大きいことを特徴とする請求項１０〜１２のいずれかの開口組立体。
【請求項１４】
前記上部の下側に、開口の周囲の主要部に対し係合可能なシール部材が設けられることを特徴とする請求項１３の開口組立体。
【請求項１５】
前記シール部材は弾性部材から成ることを特徴とする請求項１４の開口組立体。
【請求項１６】
前記シール部材はネオプレンから成る請求項１５の開口組立体。
【請求項１７】
前記シール部材は、本体部の周囲に配置されたワッシャーの形態であることを特徴とする請求項１４〜１６のいずれかの開口組立体。
【請求項１８】
前記上部の回転を容易にするため、該上部にハンドル部が設けられることを特徴とする請求項１１〜１７のいずれかの開口組立体。
【請求項１９】
前記ハンドル部は、突出フィンガーから成ることを特徴とする請求項１８の開口組立体。
【請求項２０】
容器が開放された際の視覚的表示を与えるため、前記閉鎖部材と主要部との間に延在する破損可能なシールが設けられることを特徴とする請求項１〜１９のいずれかの開口組立体。
【請求項２１】
前記破損可能なシール部材は、閉鎖部材が第２の向きから第１の向きへと移動することを許容するために破られなければならないように構成されることを特徴とする請求項２０の開口組立体。
【請求項２２】
前記閉鎖部材の喪失を防ぐため、該閉鎖部材と主要部との間に延在するリンク部材が設けられることを特徴とする請求項１〜２１のいずれかの開口組立体。
【請求項２３】
前記閉鎖部材の回転を容易にするため、主要部の上面に凹部が設けられることを特徴とする請求項１〜２２のいずれかの開口組立体。
【請求項２４】
飲料用缶のためのものであることを特徴とする請求項１〜２３のいずれかの開口組立体。
【請求項２５】
容器が請求項１〜２４のいずれかの開口組立体を含むことを特徴とする飲料容器。
【請求項２６】
前記容器は缶であることを特徴とする請求項２５の容器。
【請求項２７】
前記容器はプラスチック材料から成ることを特徴とする請求項２５の容器。
【発明の詳細な説明】
【技術分野】
【０００１】
本発明は、飲料容器のための開口組立体における又はこれに関する改良に関し、特に、限定されるものではないが、炭酸飲料に使用可能な容器のための開口組立体、及び、そのような開口構成を含む飲料容器に関する。
【発明の開示】
【発明が解決しようとする課題】
【０００２】
炭酸飲料に従来から使用される容器の一タイプは、リングプル構成の缶である。これらは、非常に普及するようになったが、多くの不利益が生じ得る。例えば、一度缶が開けられると、これを閉じることは不可能であり、そのため、内容物は、一度に飲食されなければならない。これは、容器が例えばひっくり返され得、これにより内容物がこぼれるという点で、子供又は移動時の特定の問題であり得る。また、缶の上部が汚れ得、この部分は、缶の内容物のいくらかの部分及び／又は該缶から飲む人と接触するようになり得るので、潜在的な衛生問題が存在する。
【課題を解決するための手段】
【０００３】
本発明によれば、充填後封止される飲料容器用の開口組立体が提供され、該組立体は、該容器を閉じ、かつ口が設けられる主要部と、閉鎖部材とを備える。該組立体は次のように構成される。すなわち、装填に続く初期状態において、該閉鎖部材が、口を閉じるべくここに封止配置され、これにより容器を閉鎖する。閉鎖部材は、該容器を開放すべく口から取り去られ得、開放に続き、第１の向きにおいて、該閉鎖部材が開口に再配置され得、第２の向きへと閉鎖部材を回転させるやいなや、該閉鎖部材は、該開口及び、そのため該容器を実質上封止して再閉鎖する。
【０００４】
上記口は、好ましくは、第１方向における大きい方の径と、第１方向に実質上直角な第２方向における小さい方の径とを有する。該口は、実施上楕円（長円）であり得る。
【０００５】
閉鎖部材は、好ましくは、縦方向において最大径の係合部を備える。
【０００６】
閉鎖部材は、係合部の縦方向が該口の第１方向と少なくともおおむね平行になった際に、単に口内へ導入され得るか又は該口から取り去られ得るように好ましくは構成される。該組立体は、好ましくは、閉鎖部材が第１の向きにて口に配置され、次いで第２の向きへと回転されると、係合部が、該第２の向き周りの口付近の主要部の下側と係合するように構成される。
【０００７】
フランジは、好ましくは、主要部の裏側における口の周囲に設けられ、該フランジに対し係合部は係合可能となる。フランジは、好ましくは、第２方向付近の口部分において最も高くなり、フランジの高さは、どの箇所においても口径と実質上反比例し得る。
【０００８】
閉鎖部材は、常に容器の外側に配置されて通常の使用が行われる上部と、上部から伸長し、自由端に又は自由端付近に係合部を与える本体部とを備え得る。
【０００９】
本体部は、好ましくは、口の実質上中心にスライド可能に設置可能である。
【００１０】
係合部は、上部から離隔し、本体部に直径に沿って反対側に突出する突出部を備え得る。
【００１１】
上部は、閉鎖部材が口を閉じた際、該口を完全に覆うように、口よりも大きいであろう。ハンドル部は、突出フィンガーを備え得、また、好ましくは、その回転を容易にするため上部に設けられる。
【００１２】
シール部材は、上部の裏面に設けられ得、また、開口周囲の主要部に対し係合可能である。
【００１３】
容器が開放された際の視覚的表示を与えるため、閉鎖部材と主要部との間に延在する破損可能なシールが設けられ得る。該破損可能シールは、好ましくは、閉鎖部材が第２の向きから第１の向きへと動くことを許容するために、該シールが破損されなければならないように配列される。
【００１４】
閉鎖部材の喪失を防ぐため、閉鎖部材と主要部との間に延在するリンク部材が設けられ得る。
【００１５】
閉鎖部材の回転を容易にするため、主要部の上面に凹部が設けられ得る。
【００１６】
本発明はまた、飲料缶用の開口組立体を提供し、該組立体は、先行する十四段落のいずれかに従う。
【００１７】
本発明は、先行する十五段落のいずれかに従う開口組立体を含む飲料容器を更に提供する。
【００１８】
上記容器は缶から成る。あるいは、該容器は、プラスチック材料から成り得る。
【００１９】
本発明の実施形態は、例示のみの目的で、添付図面を参照して記述される。
【発明を実施するための最良の形態】
【００２０】
組立体１０は、一般に平面の主要部１４を囲む直立フランジ１２を備える。オーバル（楕円／長円）開口１６の形態の口は、主要部１４にその一側部の近くに設けられる。フランジ１８は、開口１６の裏面周囲に設けられ、フランジ１８の高さは、どの箇所においても開口１６の径に実質上反比例し、そのため、開口１６の狭い部分で最も高くなる。
【００２１】
閉鎖部材２０が設けられ、これは、閉状態において、破損可能シール２２によって主要部１４に取り付けられる。閉鎖部材２０は、突出するフィンガー２６を有するおおむね円形構成の上部２４と、破損可能シール２２を固定する小さめのタブ２８とを備える。上部２４の使用中の下側において、円筒（又は円柱）状の本体部３０が設けられる。ネオプレンワッシャー３２は、本体部３０の周囲で上部２４の裏側に対し延在する。係合部材３４は、本体部３０の下側に取り付けられ、二つの直径に沿う反対側の半径方向フィンガー３６を与える。
【００２２】
組立体１０は、慣用技術を用いて形成され得、開口１６はプレス成形によって形成され、その周りのフランジ１８もプレスにより形成される。本体部３０は、上部２４の中央部を押し出すことにより形成され、実際、上部２４の上部に窪み３８を残す。係合部材３４は、直径方向に沿う反対側の二つのフィンガーを有する円板から成り、本体部３０にリベットで止められる。
【００２３】
使用において、缶又は他の容器は充填され、慣用の態様で組立体１０がそこに取り付けられる。組立体１０は、図１に示されるように閉じられ、これが、破損可能シール２２によって閉じられた証拠とされる。閉位置において、本体部３０は、開口１６内へと伸長し、フィンガー３６は、フランジ１８の最高部分に対し係合する。この配置構成は、主要部１４をワッシャー３２に対し押し付け、該ワッシャーは開口１６を囲んでシールを与える。
【００２４】
組立体１０を開放するため、閉鎖部材２０は、図１に示されるように、反時計回り方向に回転される。これは、シール２２を破れさせ、一度フィンガー３６が開口１６の縦方向（長手方向）とおおむね平行に整列されると、閉鎖部材２０はそこから持ち上げられる。開口１６を再閉鎖することが必要ならば、閉鎖部材２０は、フィンガー３６が開口１６の縦方向とおおむね平行な方向を向くようにそこに再度置かれる。次いで、閉鎖部材２０は、時計回り方向に回転され得、フィンガー３６をフランジ１８の最も高い部分に対して動かし、これにより、上部２４をワッシャー３２に対し、従って開口１６周りの主要部１４に対し押し付けさせる。
【００２５】
従って、比較的簡易で慣例的な構成の開口組立体が提供されるが、これは、必要に応じて飲料容器の迅速な開放及び再閉鎖に対処する。
【００２６】
図８及び９は、本発明に従う第２組立体５０を示し、これは、次の点を除き第１組立体と同様である。フィンガーの代わりに、ワイヤーループ５２が上方部材に設けられる。破損可能シールは、組立体５０の主要部における直立部５６とワイヤーループ５２との間に設けられる。閉鎖部材６０の喪失を防ぐため、主要部と例えばループ５２との間にフレキシブルなリンク（図示せず）が、設けられ得る。閉鎖部材の回転を容易にするため、開口６２とは反対側の主要部に凹部５８が設けられる。組立体５０は、組立体１０と同様な態様で使用可能である。
【００２７】
本発明の範囲から逸脱することなく、種々の改変がなされ得る。例えば、開口は異なる形状であり得るが、オーバル形状は、開口における閉鎖部材の位置の自動的訂正に本質的に対処する点で有利であることが判明している。係合部材は異なる形状であり得、又は異なる方式を採用し得る。閉鎖部材は異なる形式を有し得る。上記の実施形態は、飲料用缶に関連して記述されたが、そのような組立体は、広範囲の種々の容器に使用され得る。
【図面の簡単な説明】
【００２８】
【図１】本発明に従う第１開口組立体の部分を上から見た概略一部破断斜視図である。
【図２】閉状態における図１の組立体の同じ部分を下から見た概略斜視図である。
【図３】開状態における図２と同様の図である。
【図４】図１の組立体の部分の上方からの斜視図である。
【図５】図１の組立体の部分の下方からの斜視図である。
【図６】図１の組立体の更なる部分斜視図である。
【図７】図１の組立体の更なる部分斜視図である。
【図８】本発明に従う第２開口組立体の完全閉鎖状態の平面図である。
【図９】本発明に従う第２開口組立体の部分的閉鎖状態の平面図である。
【符号の説明】
【００２９】
１０  組立体
１４  主要部
１６  開口
１８  フランジ
２０  閉鎖部材
２２  破損可能シール
２４  上部
３０  本体部
３２  ワッシャー
３４  係合部材
３６  フィンガー
【国際公開パンフレット】
2005500946.tif 000003
2005500946.tif 000004
2005500946.tif 000005
2005500946.tif 000006
2005500946.tif 000007
2005500946.tif 000008
2005500946.tif 000009
2005500946.tif 000010
2005500946.tif 000011
2005500946.tif 000012
2005500946.tif 000013
2005500946.tif 000014
2005500946.tif 000015
【国際調査報告】
2005500946.tif 000016
2005500946.tif 000017